(57)【要約】  液晶パネルの個々の液晶素子を駆動する駆動電圧（パネル駆動電圧）は、リーク等によって微妙に変化する。この電圧変化が表示映像の輝度変化になり、フリッカとして視認される場合があるという課題を解決することができる液晶表示装置およびその制御方法を提供する。  本発明の液晶表示装置は、複数の液晶素子を備える液晶パネル（１３）と、前記液晶素子を駆動するパネル駆動電圧波形の変化に基づいた第１の信号を生成する任意波形生成部（１４）と、前記第１の信号に応じて光量を変化させて前記表示パネルを照明する光源（１８）と、を有する。
2011064878.tif 000002
【特許請求の範囲】
【請求項１】
複数の液晶素子を備える液晶パネルと、
前記液晶素子を駆動するパネル駆動電圧波形の変化に基づいた第１の信号を生成する任意波形生成部と、
前記第１の信号に応じて光量を変化させて前記表示パネルを照明する光源と、を有する液晶表示装置。
【請求項２】
請求項１記載の液晶表示装置において、
映像信号の階調を検出し、階調のヒストグラムを示す第２の信号を生成するヒストグラム検出部と、
前記第１の信号を前記第２の信号により調整した第３の信号を生成する制御振幅調整部と、をさらに有し、
前記光源は、前記第３の信号に応じて光量を変化させて前記表示パネルを照明する液晶表示装置。
【請求項３】
請求項１記載の液晶表示装置において、
映像信号の階調を検出し、階調のヒストグラムを示す第２の信号を生成するヒストグラム検出部と、
前記映像信号に応じた光量を決定し、決定した光量を示す第３の信号を生成する光出力制御部と、
前記第１の信号を前記第２の信号により調整し、前記第３の信号を、該調整した信号に応じて増減した第４の信号を生成する制御振幅調整部と、をさらに有し、
前記光源は、前記第４の信号に応じて光量を変化させて前記表示パネルを照明する液晶表示装置。
【請求項４】
請求項２または請求項３記載の液晶表示装置において、
前記制御振幅調整部は、
前記第２の信号に示される、前記映像信号中の最も検出回数が多い階調に基づいて前記第１の信号を調整する液晶表示装置。
【請求項５】
請求項１ないし請求項４のいずれかに記載の液晶表示装置において、
前記第１の信号は、
前記変化したパネル駆動電圧波形の逆特性を示す信号である、液晶表示装置。
【請求項６】
複数の液晶素子を備える液晶パネルと、
前記表示パネルを照明する光源と、
前記液晶素子を駆動するパネル駆動電圧波形の変化に基づいた第１の信号を生成する任意波形生成部と、
前記第１の信号に応じて前記光源が出力する光量を調節する絞り部と、を有する液晶表示装置。
【請求項７】
請求項６記載の液晶表示装置において、
映像信号の階調を検出し、階調のヒストグラムを示す第２の信号を生成するヒストグラム検出部と、
前記第１の信号を前記第２の信号により調整した第３の信号を生成する制御振幅調整部と、をさらに有し、
前記絞り部は、前記第３の信号に応じて前記光源が出力する光量を調節する液晶表示装置。
【請求項８】
請求項６記載の液晶表示装置において、
映像信号の階調を検出し、階調のヒストグラムを示す第２の信号を生成するヒストグラム検出部と、
前記映像信号に応じた光量を決定し、決定した光量を示す第３の信号を生成する光出力制御部と、
前記第１の信号を前記第２の信号により調整し、前記第３の信号を、該調整した信号に応じて増減した第４の信号を生成する制御振幅調整部と、をさらに有し、
前記絞り部は、前記第４の信号に応じて前記光源が出力する光量を調節する液晶表示装置。
【請求項９】
請求項７または請求項８記載の液晶表示装置において、
前記制御振幅調整部は、
前記第２の信号に示される、前記映像信号中の最も検出回数が多い階調に基づいて前記第１の信号を調整する液晶表示装置。
【請求項１０】
請求項６ないし請求項９のいずれかに記載の液晶表示装置において、
前記第１の信号は、
前記変化したパネル駆動電圧波形の逆特性を示す信号である、液晶表示装置。
【請求項１１】
複数の液晶素子を備える液晶パネルを有する液晶表示装置の制御方法であって、
前記液晶素子を駆動するパネル駆動電圧波形の変化に基づいた第１の信号を生成する任意波形生成ステップと、
前記第１の信号に応じて光量を変化させて前記表示パネルを照明する照明ステップと、を有する制御方法。
【請求項１２】
請求項１１記載の制御方法において、
映像信号の階調を検出し、階調のヒストグラムを示す第２の信号を生成するヒストグラム検出ステップと、
前記第１の信号を前記第２の信号により調整した第３の信号を生成する制御振幅調整ステップと、をさらに有し、
前記照明ステップでは、前記第３の信号に応じて光量を変化させて前記表示パネルを照明する制御方法。
【請求項１３】
請求項１１記載の制御方法において、
映像信号の階調を検出し、階調のヒストグラムを示す第２の信号を生成するヒストグラム検出ステップと、
前記映像信号に応じた光量を決定し、決定した光量を示す第３の信号を生成する光出力制御ステップと、
前記第１の信号を前記第２の信号により調整し、前記第３の信号を、該調整した信号に応じて増減した第４の信号を生成する制御振幅調整ステップと、を有し、
前記照明ステップでは、前記第４の信号に応じて光量を変化させて前記表示パネルを照明する制御方法。
【請求項１４】
請求項１２または請求項１３記載の制御方法において、
前記制御振幅調整ステップでは、
前記第２の信号に示される、前記映像信号中の最も検出回数が多い階調に基づいて前記第１の信号を調整する、制御方法
【請求項１５】
請求項１１ないし請求項１４のいずれかに記載の制御方法において、
前記第１の信号は、
前記変化したパネル駆動電圧波形の逆特性を示す信号である、制御方法。
【請求項１６】
複数の液晶素子を備える液晶パネルを有する液晶表示装置の制御方法であって、
前記表示パネルを照明する照明ステップと、
前記液晶素子を駆動するパネル駆動電圧波形の変化に基づいた第１の信号を生成する任意波形生成ステップと、
前記第１の信号に応じて前記光源が出力する光量を調節する絞りステップと、を有する制御方法。
【請求項１７】
請求項１６記載の制御方法において、
映像信号の階調を検出し、階調のヒストグラムを示す第２の信号を生成するヒストグラム検出ステップと、
前記第１の信号を前記第２の信号により調整した第３の信号を生成する制御振幅調整ステップと、をさらに有し、
前記絞りステップでは、前記第３の信号に応じて前記光源が出力する光量を調節する制御方法。
【請求項１８】
請求項１６記載の制御方法において、
映像信号の階調を検出し、階調のヒストグラムを示す第２の信号を生成するヒストグラム検出ステップと、
前記映像信号に応じた光量を決定し、決定した光量を示す第３の信号を生成する光出力制御ステップと、
前記第１の信号を前記第２の信号により調整し、前記第３の信号を、該調整した信号に応じて増減した第４の信号を生成する制御振幅調整ステップと、をさらに有し、
前記絞りステップでは、前記第４の信号に応じて前記光源が出力する光量を調節する制御方法。
【請求項１９】
請求項１７または請求項１８記載の制御方法において、
前記制御振幅調整ステップでは、
前記第２の信号に示される、前記映像信号中の最も検出回数が多い階調に基づいて前記第１の信号を調整する制御方法。
【請求項２０】
請求項１６ないし請求項１９のいずれかに記載の制御方法において、
前記第１の信号は、
前記変化したパネル駆動電圧波形の逆特性を示す信号である、制御方法。
【発明の詳細な説明】
【技術分野】
【０００１】
本発明は、液晶パネルと、液晶パネルを駆動する液晶駆動部と、液晶パネルを照明する光を出力する光源と、を備える液晶表示装置およびその制御方法に関する。
【背景技術】
【０００２】
液晶パネルは駆動電圧に応じて状態が変化する液晶素子を複数用いて映像を形成するものであり、１つの映像を形成する間、個々の液晶素子を駆動する駆動電圧（パネル駆動電圧）は保持される。しかしながら、パネル駆動電圧はリーク等によって微妙に変化する。この電圧変化が表示映像の輝度変化になり、フリッカとして視認される場合がある。【０００３】
液晶パネルの駆動方式には、特許文献１（特開２００７−３０４３８５号公報）に開示されるような、フィールド毎にパネル駆動電圧極性を反転させる垂直反転駆動方式がある。このような駆動方式を行っている液晶表示装置では、液晶パネルに保持されるパネル駆動電圧の変化がフィールド間の輝度変化として現れるため、画面全体がフィールド周期のフリッカとして視認され、著しく表示品位を低下させる。【０００４】
フリッカを低減させるために、例えば、フィールド周波数を入力映像周波数の２倍にすることで、パネル駆動電圧の変化する時間を短縮してリークによるパネル駆動電圧の変化量を抑えるとともに、フィールド周波数を高めることで人間の目の感度が落ちることで視認しづらくするといった対策がある。
【先行技術文献】
【特許文献】
【０００５】
【特許文献１】特開２００７−３０４３８５号公報
【発明の概要】
【発明が解決しようとする課題】
【０００６】
しかしながら、上述の方法では、フリッカを見えづらくするだけで根本的に直っている訳ではない。液晶パネルの特性において特に重要なパネル開口率を改善しようとすればするほど、フリッカの量は増える傾向にある。【０００７】
また、映像信号のフィールド周波数が５０Ｈｚの場合には、たとえ倍速で駆動したとしても１００Ｈｚであり、人間の目には十分視認可能な周波数である。３倍の１５０Ｈｚにすれば視認しづらい周波数となるが、液晶パネルの応答速度が遅いことから駆動周波数には限界があり、実現は困難である。【０００８】
本発明の目的は、上述した課題を解決することができる液晶表示装置およびその制御方法を提供することにある。
【課題を解決するための手段】
【０００９】
上記目的を達成するために本発明の液晶表示装置は、
複数の液晶素子を備える液晶パネルと、
前記液晶素子を駆動するパネル駆動電圧波形の変化に基づいた第１の信号を生成する任意波形生成部と、
前記第１の信号に応じて光量を変化させて前記表示パネルを照明する光源と、を有する。【００１０】
上記目的を達成するために本発明の液晶表示装置の制御方法は、
複数の液晶素子を備える液晶パネルを有する液晶表示装置の制御方法であって、
前記液晶素子を駆動するパネル駆動電圧波形の変化に基づいた第１の信号を生成する任意波形生成ステップと、
前記第１の信号に応じて光量を変化させて前記表示パネルを照明する照明ステップと、を有する。
【発明の効果】
【００１１】
本発明によれば、液晶表示装置は、液晶素子を駆動するパネル駆動電圧波形の変化に基づいた第１の信号を生成し、生成した第１の信号に応じて光量を変化させて表示パネルを照明する。【００１２】
そのため、１フィールド周期内でパネル駆動電圧の変動による輝度の変化により生じるフリッカの発生を抑制することができ、表示映像の表示品位の低下を防ぐことができる。
【図面の簡単な説明】
【００１３】
【図１】本発明の第１の実施形態の液晶表示装置の構成を示すブロック図である。
【図２Ａ】液晶パネルに保持されるパネル駆動電圧の変動の一例を示す図である。
【図２Ｂ】パネル駆動電圧の変動により生じる液晶素子の光学応答波形の変動の一例を示す図である。
【図３】液晶パネルのＶＴ特性の一例を示す図である。
【図４】本発明の第２の実施形態の液晶表示装置の構成を示すブロック図である。
【発明を実施するための形態】
【００１４】
以下に、本発明を実施するための形態について図面を参照して説明する。
（第１の実施形態）
図１は、本発明による第１の実施形態の液晶表示装置１０の構成を示すブロック図である。
【００１５】
図１に示す液晶表示装置１０は、映像信号処理部１１と、液晶駆動部１２と、液晶パネル１３と、任意波形生成部１４と、ヒストグラム検出部１５と、光出力制御部１６と、制御振幅調整部１７と、光源１８と、を有する。
【００１６】
なお、液晶パネル１３は、一般的な構成を備える透過型液晶パネルであるため、詳細な説明を省略する。
【００１７】
外部から与えられる映像信号は、映像信号処理部１１、ヒストグラム検出部１５、および、光出力制御部１６に供給される。
【００１８】
映像信号処理部１１は、映像信号に応じて液晶パネル１３を駆動する信号を生成し、液晶駆動部１２に出力する。
【００１９】
液晶駆動部１２は、映像信号処理部１１から出力された信号を液晶パネル１３に供給して液晶パネル１３を駆動するとともに、映像信号処理部１１から出力された信号に基づき、１フィールド周期の開始タイミングを示す垂直同期タイミングを任意波形生成部１４に出力する。
【００２０】
任意波形生成部１４は、液晶駆動部１２から出力された垂直同期タイミングに同期して、液晶素子を駆動するパネル駆動電圧波形の変化に基づいた波形を生成し、生成した波形を示す波形信号を制御振幅調整部１７に出力する。この波形は、光源１８の光量を変化させる光量信号の基礎となるもので、光量の変化に概ね等しい。
【００２１】
ヒストグラム検出部１５では、映像信号の階調を検出し、検出した階調のヒストグラムを生成して制御振幅調整部１７に出力する。
【００２２】
光出力制御部１６は、光源１８から出力される光量を静的または動的に変更するために設けられている。ここで静的とは、使用者の操作によって光出力レベルを変更するものであり、動的とは、映像信号の絵柄などによって光出力レベルを変更するものである。
【００２３】
光出力レベルを変えることで、映像表示出力の見かけのダイナミックレンジを拡張できる。この技術については先行技術として明らかになっている。
【００２４】
なお、光出力制御部１６は、変更した光量を示す光量レベル信号を制御振幅調整部１７に出力する。
【００２５】
制御振幅調整部１７は、ヒストグラム検出部１５から出力された映像信号の階調のヒストグラムに基づき、任意波形生成部１４から出力された波形信号が示す波形の振幅を調整し、さらに、光出力制御部１６から出力された光量レベル信号が示す光量から、振幅を調整した波形が示す光量の変動量分に応じて増減させた、光量を示す光量信号を光源１８に出力する。
【００２６】
光源１８は、制御振幅調整部１７から出力される光量信号に基づき、液晶パネル１３を照明する光を出力する。
【００２７】
次に、液晶表示装置１０の動作について説明する。
【００２８】
まず、光源に必要な光量変化については、図２Ａを用いて説明する。図２Ａは、液晶パネル１３のリーク電流のためにフリッカが発生することの説明図である。
【００２９】
図２Ａに示されるパネル駆動電圧波形は、全画面ベタ映像を表示させた場合の、液晶パネルの１つの画素電極へのパネル駆動電圧を示している。液晶パネル１３は、液晶の特性劣化を防止するために画素電極を交流駆動する必要がある。ここでは、フィールド毎に極性反転する駆動方式の例を示している。
【００３０】
理想的なパネル駆動電圧は、映像センター電圧ＶＭＩＤを中心に、同図の点線で示すような矩形波であるのだが、画素電極を駆動するＴＦＴ（Ｔｈｉｎ  Ｆｉｌｍ  Ｔｒａｎｓｉｓｔｏｒ）の電圧シフトや、画素電極に光が当たることよるリーク電流などによって、実線のような波形となる。
【００３１】
ＴＦＴの電圧シフトはＶＭＩＤを中心でなく、グランド電位（０Ｖ）方向に動く。このため、正極性側と負極性側でＶＭＩＤについて非対称な波形となり、これが正極性側と負極性側の輝度差となって現れ、フリッカとなってしまう。
【００３２】
このため、正極性側と負極性側の面積が同じになるよう、ＶＣＯＭを設定して、フリッカを抑えている。しかし、ＶＣＯＭの調整では正極性側と負極性側の平均的な輝度差をなくすだけなので、リークによるフィールド内での輝度変化については対応できない。このためフリッカが残留してしまう。
【００３３】
そこで、本実施形態では、図２Ａに示したパネル駆動電圧の変動に基づく光学応答波形の変動を打ち消すように光源の光量を変化させるために任意波形生成部１４を設けている。任意波形生成部１４は、垂直同期タイミングに同期して、液晶パネル１３を照明する光量を制御するための所定の波形を生成する。
【００３４】
図２Ｂは、パネル駆動電圧の変動により生じる、液晶素子の光学応答波形の変動の一例を示す図である。なお、図２Ｂでは、光学応答波形の一例として、液晶素子の透過率を用いている。また、図２Ｂに示した波形は簡易的に直線で描いているが、実際の特性は液晶パネル１３の種類によって異なり、曲線の場合もある。波形をＲＯＭ（Ｒｅａｄ  Ｏｎｌｙ  Ｍｅｍｏｒｙ）に記憶しておくルックアップテーブル方式であれば、任意の波形に対応可能である。
【００３５】
時刻Ｔ１〜Ｔ２間では、保持される正極性のパネル駆動電圧が負極性側に減少しているので、液晶素子の透過率は低下する。また、時刻Ｔ２〜Ｔ３間では、保持される負極性のパネル駆動電圧が正極性側に減少しているため、液晶素子の透過率は低下する。
【００３６】
任意波形生成部１４は、光学応答波形の逆特性となる波形を生成する。
【００３７】
ヒストグラム検出部１５は、映像信号の階調を検出し、検出した階調のヒストグラムを生成し、光出力制御部１６は、光量レベル信号を制御振幅調整部１７に出力する。制御振幅調整部１７は、ヒストグラム検出部１５により生成されたヒストグラムに基づき、生成された波形の振幅を制御する。
【００３８】
図３は、液晶パネル１３のＶＴ特性（パネル駆動電圧と透過率の関係）の一例を示す図である。
【００３９】
上述したように、印加されるパネル駆動電圧に応じて、階調の制御が行われる。パネル駆動電圧が低い場合、黒側の階調領域となり、パネル駆動電圧が中程度の場合、中間調の領域となり、パネル駆動電圧が高い場合、白側の階調領域となる。
【００４０】
図３に示すように、階調に応じて、パネル駆動電圧の変動に対する透過率の変動量が異なる。すなわち、中間調の階調領域における、パネル駆動電圧の変動に対する透過率の変動は、黒側または白側の階調領域における、パネル駆動電圧の変動に対する透過率の変動よりも大きい。
【００４１】
従って、制御振幅調整部１７は、検出された映像信号の階調のうち、最も検出回数が多い階調に基づき、任意波形生成部１４により生成された波形の振幅を制御する。
【００４２】
具体的には、最も検出回数が多い階調が、中間調の階調領域に含まれる場合は、波形の振幅を大きくし、黒側または白側の階調領域に含まれる場合は、波形の振幅を小さくする。
【００４３】
制御振幅調整部１７は、振幅を調整した波形を、光量レベル信号が示す光量から、振幅を調整した波形が示す光量の変動量分を増減し、光量信号を光源１８に出力する。光源１８は、出力された光量信号に基づき、液晶パネル１３に光を出力する。
【００４４】
このように本実施形態によれば、液晶表示装置１０は、パネル駆動電圧の変動に基づく波形を生成し、映像信号の階調のヒストグラムにより、生成した波形の振幅を調整し、光量レベル信号が示す光量から、調整した波形の振幅が示す光量の変動量分を増減した光量を、光源から出力する
そのため、１フィールド周期内でパネル駆動電圧の変動による輝度の変化により生じるフリッカの発生を抑制することができ、表示映像の表示品位の低下を防ぐことができる。
【００４５】
なお、リーク電流は、画素電極に光が照射されることなどにより発生し、リーク電流の量も、照射される光量によって異なる。そのため、光出力制御部１６により、光源１８から出力される光量を変更した場合、リーク電流の量も変わる。
【００４６】
この場合、制御振幅調整部１７による波形の振幅の調整量も変更することで、出力される光量の変更にも対応することができる。例えば、光量を１／２にした場合、波形の振幅も１／２にすればよい。
（第２の実施形態）
図４は、本発明の第２の実施形態の液晶表示装置２０の構成を示すブロック図である。
【００４７】
なお、図４において、図１と同様の構成については同じ符号を付し、その説明を省略する。
【００４８】
図４に示す液晶表示装置２０は、第１の実施形態の液晶表示装置１０と比較して、絞り部２１を設けた点が異なる。
【００４９】
絞り部２１は、液晶パネル１３と光源１８との間に設けられ、光源１８から出力される光量を調節する。
【００５０】
次に、液晶表示装置２０の動作について説明する。
【００５１】
制御振幅調整部１７は、光量信号を絞り部２１に出力する。絞り部２１は、出力された光量信号に基づき、光源１８から出力される光量を調節する。
【００５２】
このように本実施形態によれば、液晶表示装置２０は、光量信号に基づき光源１８から出力される光量を調節して液晶パネル１３に出力する。
【００５３】
そのため、第１の実施形態の液晶表示装置１０と同様に、１フィールド周期内でパネル駆動電圧の変動による輝度の変化により生じるフリッカの発生を抑制することができ、表示映像の表示品位の低下を防ぐことができる。
１フィールド周期内で生じるフリッカの発生を抑制することができ、表示映像の表示品位の低下を防ぐことができる。
【００５４】
以上、実施形態を参照して本願発明を説明したが、本発明は上記実施形態に限定されるものではない。本願発明の構成や詳細には、本願発明のスコープ内で当業者が理解し得る様々な変更をすることができる。
【図１】
2011064878.tif 000003
【図２Ａ】
2011064878.tif 000004
【図２Ｂ】
2011064878.tif 000005
【図３】
2011064878.tif 000006
【図４】
2011064878.tif 000007
【手続補正書】
【提出日】平成24年5月21日(2012.5.21)
【手続補正１】
【補正対象書類名】特許請求の範囲
【補正対象項目名】全文
【補正方法】変更
【補正の内容】
【特許請求の範囲】
【請求項１】
複数の液晶素子を備える液晶パネルと、
前記液晶素子を駆動するパネル駆動電圧波形の変化に基づいた第１の信号を生成する任意波形生成部と、
映像信号の階調を検出し、階調のヒストグラムを示す第２の信号を生成するヒストグラム検出部と、
前記映像信号に応じた光量を決定し、決定した光量を示す第３の信号を生成する光出力制御部と、
前記第１の信号を前記第２の信号により調整し、前記第３の信号を、該調整した信号に応じて増減した第４の信号を生成する制御振幅調整部と、
前記第４の信号に応じて光量を変化させて前記表示パネルを照明する光源と、を有する液晶表示装置。
【請求項２】
請求項１記載の液晶表示装置において、
前記制御振幅調整部は、
前記第２の信号に示される、前記映像信号中の最も検出回数が多い階調に基づいて前記第１の信号を調整する液晶表示装置。
【請求項３】
請求項１または２に記載の液晶表示装置において、
前記第１の信号は、
前記変化したパネル駆動電圧波形の逆特性を示す信号である、液晶表示装置。
【請求項４】
複数の液晶素子を備える液晶パネルと、
前記表示パネルを照明する光源と、
前記液晶素子を駆動するパネル駆動電圧波形の変化に基づいた第１の信号を生成する任意波形生成部と、
映像信号の階調を検出し、階調のヒストグラムを示す第２の信号を生成するヒストグラム検出部と、
前記映像信号に応じた光量を決定し、決定した光量を示す第３の信号を生成する光出力制御部と、
前記第１の信号を前記第２の信号により調整し、前記第３の信号を、該調整した信号に応じて増減した第４の信号を生成する制御振幅調整部と、
前記第４の信号に応じて前記光源が出力する光量を調節する絞り部と、を有する液晶表示装置。
【請求項５】
請求項４記載の液晶表示装置において、
前記制御振幅調整部は、
前記第２の信号に示される、前記映像信号中の最も検出回数が多い階調に基づいて前記第１の信号を調整する液晶表示装置。
【請求項６】
請求項４または５記載の液晶表示装置において、
前記第１の信号は、
前記変化したパネル駆動電圧波形の逆特性を示す信号である、液晶表示装置。
【請求項７】
複数の液晶素子を備える液晶パネルを有する液晶表示装置の制御方法であって、
前記液晶素子を駆動するパネル駆動電圧波形の変化に基づいた第１の信号を生成する任意波形生成ステップと、
映像信号の階調を検出し、階調のヒストグラムを示す第２の信号を生成するヒストグラム検出ステップと、
前記映像信号に応じた光量を決定し、決定した光量を示す第３の信号を生成する光出力制御ステップと、
前記第１の信号を前記第２の信号により調整し、前記第３の信号を、該調整した信号に応じて増減した第４の信号を生成する制御振幅調整ステップと、
前記第４の信号に応じて光量を変化させて前記表示パネルを照明する照明ステップと、を有する制御方法。
【請求項８】
請求項７記載の制御方法において、
前記制御振幅調整ステップでは、
前記第２の信号に示される、前記映像信号中の最も検出回数が多い階調に基づいて前記第１の信号を調整する、制御方法
【請求項９】
請求項７または８に記載の制御方法において、
前記第１の信号は、
前記変化したパネル駆動電圧波形の逆特性を示す信号である、制御方法。
【請求項１０】
複数の液晶素子を備える液晶パネルを有する液晶表示装置の制御方法であって、
前記表示パネルを照明する照明ステップと、
前記液晶素子を駆動するパネル駆動電圧波形の変化に基づいた第１の信号を生成する任意波形生成ステップと、
映像信号の階調を検出し、階調のヒストグラムを示す第２の信号を生成するヒストグラム検出ステップと、
前記映像信号に応じた光量を決定し、決定した光量を示す第３の信号を生成する光出力制御ステップと、
前記第１の信号を前記第２の信号により調整し、前記第３の信号を、該調整した信号に応じて増減した第４の信号を生成する制御振幅調整ステップと、
前記第４の信号に応じて前記光源が出力する光量を調節する絞りステップと、を有する制御方法。
【請求項１１】
請求項１０記載の制御方法において、
前記制御振幅調整ステップでは、
前記第２の信号に示される、前記映像信号中の最も検出回数が多い階調に基づいて前記第１の信号を調整する制御方法。
【請求項１２】
請求項１０または１１に記載の制御方法において、
前記第１の信号は、
前記変化したパネル駆動電圧波形の逆特性を示す信号である、制御方法。
【国際調査報告】
2011064878.tif 000008
2011064878.tif 000009
2011064878.tif 000010
2011064878.tif 000011